(57)【要約】      （修正有）【課題】使用時には固形燃料等の小型の熱源であっても火力を調節して効率よく加熱することができ、調理後確実に熱源を消火させることができる携帯調理器を提供する。【解決手段】本携帯調理器１は、開口した天面側が底面よりも大きい逆円錐台形状の調理鍋３と、調理鍋の天面側内に載置する鍋蓋２と、天面側が開口する有底筒形状であって、上端部に調理鍋を載置し、底面４１に第１の通気孔４２が設けられた風防筒４と、第２の通気孔５３が設けられた天面５１上に風防筒を載置する所定の高さの通風台５と、風防筒の底面及び通風台の天面に設けられ、通風台に対して風防筒を回動可能に取り付ける取付部６と、を備える。使用時には、風防筒の底面に熱源９を載置し、風防筒を回動させることによって第１の通気孔と第２の通気孔との連通量が変化する。【選択図】図１
0003184300.tif 000002
【実用新案登録請求の範囲】
【請求項１】
開口した天面側が底面よりも大きい逆円錐台形状の調理鍋と、
前記調理鍋の天面側内に載置する鍋蓋と、
天面側が開口する有底筒形状であって、上端部に前記調理鍋を載置し、底面に第１の通気孔が設けられた風防筒と、
第２の通気孔が設けられた天面上に前記風防筒を載置する所定の高さの通風台と、
前記風防筒の底面及び前記通風台の天面に設けられ、前記通風台に対して前記風防筒を回動可能に取り付ける取付部と、
を備える携帯調理器であって、
使用時には、前記風防筒の底面に熱源を載置し、前記風防筒を回動させることによって前記第１の通気孔と前記第２の通気孔との連通量が変化することを特徴とする携帯調理器。
【請求項２】
前記風防筒の上端部に、前記調理鍋を支持するために上方へ突出した複数の支持部を備え、
前記風防筒の上端部の内径は、前記調理鍋の底部の外径よりも大きく且つ前記調理鍋の天面の外径よりも小さく、
前記風防筒に前記調理鍋を載置したときに、前記調理鍋と前記風防筒の上端部との間に所定の隙間が形成される請求項１記載の携帯調理器。
【請求項３】
前記支持部は、前記風防筒の周面に沿って回動することにより前記突出を解除可能に設けられており、
前記調理鍋は、前記風防筒の周方向に回動させたとき各前記支持部を回動させる支持解除部を備え、
前記支持部の前記突出を解除したときには前記調理鍋と前記風防筒の上端部との間の隙間が塞がれる請求項２記載の携帯調理器。
【請求項４】
前記調理鍋には天面周縁に鍔が設けられており、
前記支持解除部は、前記鍔部から下方に突出する爪又は前記鍔部に設けられた穴である請求項３記載の携帯調理器。
【請求項５】
前記取付部は前記風防筒の底面の中心部、及び前記通風台の天面の中心部に設けられており、
前記第１の通気孔及び前記第２の通気孔は、同じ開口径であり、且つ前記取付部を中心とした同じ径の円周に沿って同数を等間隔に具備される請求項１乃至４のいずれかに記載の携帯調理器。
【請求項６】
前記取付部は、前記風防筒の底面及び前記通風台の天面の一方からその外側に突出する軸体と、他方に設けられた前記軸体に対応する孔部とからなる請求項１乃至５のいずれかに記載の携帯調理器。
【請求項７】
前記風防筒の外周面に、前記通風台を回動させるためのつまみを備える請求項１乃至６のいずれかに記載の携帯調理器。
【請求項８】
前記鍋蓋の縁部の一部に前記調理鍋の内周面と接しない注ぎ口を具備する請求項１乃至７のいずれかに記載の携帯調理器。
【請求項９】
前記風防筒の底面部に、前記熱源に向けて送風する送風ファンを更に備える請求項１乃至８のいずれかに記載の携帯調理器。
【請求項１０】
前記風防筒は、その天面の外径が前記調理鍋の天面の内径よりも小さく、且つその高さが前記調理鍋の深さよりも小さく、
前記通風台の天面の外形は前記調理鍋の天面の内径よりも小さく、
収納時には、前記風防筒の天面が前記調理鍋内の底面に向くように前記風防筒及び前記通風台を前記調理鍋に載置し、少なくとも前記風防筒は前記調理鍋内に収容され、且つ、前記風防筒と前記取付部により取り付けられた前記通風台内に前記鍋蓋が載置される請求項１乃至９のいずれかに記載の携帯調理器。
【考案の詳細な説明】
【技術分野】
【０００１】
本考案は、固形燃料等の小型の熱源を用いて調理を行うことができる携帯調理器に関する。更に詳しくは、使用時には小型の熱源であっても効率よく加熱することができ、調理後確実に熱源を消火させることができ、保管時や携帯時には調理器全体を小さくまとめて収納することができる携帯調理器に関する。
【背景技術】
【０００２】
携行可能であって炊飯等の調理が可能な調理器として炊飯鍋とその炊飯鍋を加熱するために支持する支持台を組み合わせた携帯炊飯器が種々提案されている（例えば、特許文献１及び２を参照。）。
特許文献１に記載されているのは、金属箔で作成された炊飯鍋と、シートからなるコンロとから構成される携帯用炊飯キットである。このキットはシートを折り曲げて端を接続することで角筒形状のコンロとなり、そのコンロに炊飯鍋を載せて熱源による加熱を行うことができる。
また、特許文献２には、液化ガスにより炊飯を行うことができるコードレス携帯炊飯器が記載されている。
【先行技術文献】
【特許文献】
【０００３】
【特許文献１】実用新案登録３０１７９１１号公報
【特許文献２】特開平０８−１２６５７９号公報
【考案の概要】
【考案が解決しようとする課題】
【０００４】
しかし、特許文献１に記載された携帯用炊飯キットは、火力の調節を行うことができない。また、コンロの側面に通気孔が設けられており、そこから熱気が逃げてしまうという問題がある。更に、調理が終わった後、確実に消火させることができないという問題がある。
また、特許文献２に記載されたコードレス携帯炊飯器は、ガスタンクや発熱体等の加熱手段が装置内に設けられており、小型化することが困難である。
【０００５】
本考案は、上記のような問題に鑑み、使用時には固形燃料等の小型の熱源であっても火力を調節して効率よく加熱することができ、調理後確実に熱源を消火させることができ、保管時や携帯時には調理器全体を小さくまとめて収納することができる携帯調理器を提供することを目的とする。
【課題を解決するための手段】
【０００６】
本考案は、以下の通りである。
１．開口した天面側が底面よりも大きい逆円錐台形状の調理鍋と、
前記調理鍋の天面側内に載置する鍋蓋と、
天面側が開口する有底筒形状であって、上端部に前記調理鍋を載置し、底面に第１の通気孔が設けられた風防筒と、
第２の通気孔が設けられた天面上に前記風防筒を載置する所定の高さの通風台と、
前記風防筒の底面及び前記通風台の天面に設けられ、前記通風台に対して前記風防筒を回動可能に取り付ける取付部と、
を備える携帯調理器であって、
使用時には、前記風防筒の底面に熱源を載置し、前記風防筒を回動させることによって前記第１の通気孔と前記第２の通気孔との連通量が変化することを特徴とする携帯調理器。
２．前記風防筒の上端部に、前記調理鍋を支持するために上方へ突出した複数の支持部を備え、
前記風防筒の上端部の内径は、前記調理鍋の底部の外径よりも大きく且つ前記調理鍋の天面の外径よりも小さく、
前記風防筒に前記調理鍋を載置したときに、前記調理鍋と前記風防筒の上端部との間に所定の隙間が形成される前記１．記載の携帯調理器。
３．前記支持部は、前記風防筒の周面に沿って回動することにより前記突出を解除可能に設けられており、
前記調理鍋は、前記風防筒の周方向に回動させたとき各前記支持部を回動させる支持解除部を備え、
前記支持部の前記突出を解除したときには前記調理鍋と前記風防筒の上端部との間の隙間が塞がれる前記２．記載の携帯調理器。
４．前記調理鍋には天面周縁に鍔が設けられており、
前記支持解除部は、前記鍔部から下方に突出する爪又は前記鍔部に設けられた穴である前記３．記載の携帯調理器。
５．前記取付部は前記風防筒の底面の中心部、及び前記通風台の天面の中心部に設けられており、
前記第１の通気孔及び前記第２の通気孔は、同じ開口径であり、且つ前記取付部を中心とした同じ径の円周に沿って同数を等間隔に具備される前記１．乃至前記４．のいずれかに記載の携帯調理器。
６．前記取付部は、前記風防筒の底面及び前記通風台の天面の一方からその外側に突出する軸体と、他方に設けられた前記軸体に対応する孔部とからなる前記１．乃至前記５．のいずれかに記載の携帯調理器。
７．前記風防筒の外周面に、前記通風台を回動させるためのつまみを備える前記１．乃至前記６．のいずれかに記載の携帯調理器。
８．前記鍋蓋の縁部の一部に前記調理鍋の内周面と接しない注ぎ口を具備する前記１．乃至前記７．のいずれかに記載の携帯調理器。
９．前記風防筒の底面部に、前記熱源に向けて送風する送風ファンを更に備える前記１．乃至前記８．のいずれかに記載の携帯調理器。
１０．前記風防筒は、その天面の外径が前記調理鍋の天面の内径よりも小さく、且つその高さが前記調理鍋の深さよりも小さく、
前記通風台の天面の外形は前記調理鍋の天面の内径よりも小さく、
収納時には、前記風防筒の天面が前記調理鍋内の底面に向くように前記風防筒及び前記通風台を前記調理鍋に載置し、少なくとも前記風防筒は前記調理鍋内に収容され、且つ、前記風防筒と前記取付部により取り付けられた前記通風台内に前記鍋蓋が載置される前記１．乃至前記９．のいずれかに記載の携帯調理器。
【考案の効果】
【０００７】
本考案の携帯調理器によれば、開口した天面側が底面よりも大きい逆円錐台形状の調理鍋と、調理鍋の天面側内に載置する鍋蓋と、天面側が開口する有底筒形状であって、上端部に調理鍋を載置し、底面に第１の通気孔が設けられた風防筒と、第２の通気孔が設けられた天面上に風防筒を載置する所定の高さの通風台と、風防筒の底面及び通風台の天面に設けられ、通風台に対して風防筒を回動可能に取り付ける取付部と、を備える携帯調理器であって、使用時には、風防筒の底面に熱源を載置し、風防筒を回動させることによって通気孔と第２の通気孔との連通量（各通気孔の共通する面積）が変化するため、通風台上で風防筒を回動させることによって、第１の通気孔と第２の通気孔との位置関係をずらして連通量を変えることができる。これにより、外部から熱源に供給する空気の供給量を変えることができ、熱源の火力を調節することができる。また、回動により第１の通気孔と第２の通気孔との位置関係が全く重ならないにようにすることで、通風台からの空気の供給を止めて熱源の消火をすることができる。使用者は、調理後熱源に直接蓋をする等の作業を行うことなく、消火することができる。
【０００８】
前記風防筒の上端部に、前記調理鍋を支持するために上方へ突出した複数の支持部を備え、風防筒の上端部の内径が、調理鍋の底部の外径よりも大きく且つ調理鍋の天面の外径よりも小さく、風防筒に調理鍋を載置したときに、調理鍋と風防筒の上端部との間に所定の隙間が形成される場合には、熱源からの排気がこの隙間から排出される。そして、調理鍋は逆円錐台形状であるため、排出された熱気が調理鍋の側面に沿って上昇していくようになり、排気によって調理鍋の加熱を補助することができ、熱源が発した熱を有効に利用することができる。
【０００９】
前記支持部が、前記風防筒の周面に沿って回動することにより前記突出を解除可能に設けられており、前記調理鍋は、風防筒の周方向に回動させたとき各支持部を回動させる支持解除部を備え、支持部の突出を解除したときには調理鍋と風防筒の上端部との間の隙間が塞がれる場合には、調理が終わった時に調理鍋を回動させて、調理鍋の底部によって風防筒上端の開口を塞ぐことができる。これによって、排気のための隙間が塞がれ、熱源のある風防筒内を外気から遮断することができるので、熱源の消火をより確実にすることができる。
また、前記調理鍋には天面周縁に鍔が設けられており、前記支持解除部が、鍔部から下方に突出する爪又は鍔部に設けられた穴である場合には、極めて簡単な構造により、前記支持部を回動させて調理鍋と風防筒との間の隙間を塞ぐことができる。
【００１０】
前記取付部が前記風防筒の底面の中心部、及び前記通風台の天面の中心部に設けられており、前記第１の通気孔及び前記第２の通気孔は、同じ開口径であり、且つ取付部を中心とした同じ径の円周に沿って同数を等間隔に具備される場合は、簡単な構造によって第１の通気孔と第２の通気孔との連通量を容易に変えることができ、使用者は熱源の火力調節や消火を自在にすることができる。
また、前記取付部が、前記風防筒の底面及び前記通風台の天面の一方からその外側に突出する軸体と、他方に設けられた前記軸体に対応する孔部とからなる場合は、極めて簡単な構造によって、風防筒と通風台との位置ずれを防止することができ、通風台に対して通風台を回転自在とすることができる。
更に、前記風防筒の外周面に、前記通風台を回動させるためのつまみを備える場合は、使用者はつまみを持って風防筒を通風台上で回動させることができ、安全且つ容易に熱源の火力調節や消火を行うことができる。
【００１１】
前記鍋蓋の縁部の一部に前記調理鍋の内周面と接しない注ぎ口を具備する場合は、鍋蓋を開けないで調理鍋から液体を容易に排出して、食器等に注ぐことができる。
前記風防筒の底面部に、前記熱源に向けて送風する送風ファンを更に備える場合は、熱源が木炭等であっても十分に燃焼させ、調理を行うことができる。
【００１２】
前記風防筒が、その天面の外径が前記調理鍋の天面の内径よりも小さく、且つその高さが調理鍋の深さよりも小さく、前記通風台の天面の外形は調理鍋の天面の内径よりも小さく、収納時には、風防筒の天面が調理鍋内の底面に向くように風防筒及び通風台を調理鍋に載置し、少なくとも風防筒は調理鍋内に収容され、且つ、風防筒と取付部により取り付けられた通風台内に前記鍋蓋が載置される場合は、本携帯調理器を保管したり持ち運んだりするときには全体の高さを低くまとめることができ、保管性・携行性に優れている。また、通風台は風防筒に取り付けられた状態を維持しており、鍋蓋は通風台内に載置されているため、携行中の位置ずれを防ぐことが可能になる。
【図面の簡単な説明】
【００１３】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】携帯調理器の使用時の外観を示す、風防筒及び通風台を断面にした側面図である。
【図２】携帯調理器による調理時の吸排気の流れを説明するための風防筒及び通風台を断面にした側面図である。
【図３】携帯調理器による熱源消火の状態を説明するための風防筒及び通風台を断面にした側面図である。
【図４】携帯調理器の使用時の外観を示す斜視図である。
【図５】携帯調理器の構成要素を説明するための斜視図である。
【図６】携帯調理器の構成及び使用時の状態を説明するための断面図である。
【図７】携帯調理器による調理時の吸排気の流れを説明するための断面図である。
【図８】携帯調理器を収納した状態を示す断面図である。
【図９】風防筒の回動に伴う第１の通気孔及び通風口の連通量の変化を示す斜視図であり、（ａ）第１の通気孔及び通風口が全連通している状態と、（ｂ）第１の通気孔及び通風口の一部が連通している状態を示す。
【図１０】鍋蓋に調理皿を設けた携帯調理器を示す断面図である。
【図１１】風防筒に送風ファンを設けた携帯調理器を示す断面図である。
【考案を実施するための形態】
【００１４】
以下、図を参照しながら本携帯調理器を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１５】
図１に示す本携帯調理器１は、固形燃料等の熱源９を用いて調理鍋による炊飯等の調理を行うための調理器であって、調理鍋３と、調理鍋３の天面側内に載置する鍋蓋２と、風防筒４と、通風台５とを備えている。これらの材質は特に問わないが、一般に、アルミニウム、スチール等の金属製とすることができる。また、一部が陶磁器等であってもよい。
調理鍋３は通常平底の鍋であり、開口した天面側が底面よりも大きい逆円錐台形状である。また、調理鍋３の大きさも内容量も特に問わず、任意とすることができる。
調理鍋３は、後述する支持部４３を回動させるための支持解除部３１を少なくとも１つ設けることができる。支持解除部３１は調理鍋３を周方向に回動させることで支持部４３と当接し、そのまま押し動かすことで固定軸４６を軸として支持部４３を回動させることで支持部４３を風防筒４内に収納させることができる。調理鍋３に支持解除部３１を設ける位置は、調理鍋３を周方向に回動させたときに、支持部４３と当接する位置であり、調理鍋３を風防筒４に載置したときに、調理鍋３が支持部４３と接する位置を含む鍔３０等である。支持解除部３１の構成は特に問わず、例えば図１に示すように、調理鍋３の天面周縁に具備する鍔３０に突出させて形成される爪３１とすることができる。また、調理鍋３の鍔部の一部を切り欠いて支持部４３と当接するようにした穴としても良い。更に、支持解除部３１の数は特に問わない。支持解除部３１の数が支持部４３の数より少なくても、調理鍋３の回動に伴い支持解除部３１が順次支持部４３を回動させることができる。
【００１６】
鍋蓋２は調理鍋３に適用できるものであればよく、その形状及び大きさは特に問わない。また、図５に例示するように、その縁部に切欠き２１を設けることができる。設けた切欠き２１は、調理鍋３内のお湯等を注ぎ出すための注ぎ口として用いることができる。また、鍋蓋２は図１０に示すように、裏側に脱着可能に固定される調理皿２２を設けることができる。調理皿２２は、調理鍋３内の蒸気を調理皿２２上に通過させるための孔２３が設けられており、皿内に食料を入れた状態で調理鍋３の内容物と共に熱源９の熱により加熱され、食料を加熱、調理、保温をすることができる。調理皿２２を鍋蓋２の裏側に脱着可能に固定する方法は特に問わず、例えば図１０に示すように、鍋蓋２に螺子２４を用いてネジ止めすることができる。このとき、鍋蓋つかみ２４を固定する螺子と兼ねることができる。また、調理皿２２の周縁を鍋蓋２の裏側に嵌め込み嵌合させて固定しても良い。
【００１７】
風防筒４は、天面側が開口する有底筒形状であり、固形燃料等の熱源９を内部の底面４１等に載置し、熱源９から発する熱によって上端部に載置した調理鍋３の底を加熱する台となる。この「筒形状」は、図１に例示するように円筒形状であってもよいし、角筒形状であっても良い。
また、風防筒４は図４〜６に例示するように円錐台形状であってもよいし、角錐台形状であってもよい。特に、調理鍋３の形状が図示されるような逆円錐台形状又は円筒形状である場合には、それに対応するような円筒形状又は円錐台形状等とすることができる。風防筒４の大きさは、図８に例示するように、収納時において、調理鍋３内に収まる大きさとすることができる。このとき、風防筒４の天面の外径が調理鍋３の天面の内径よりも小さく、且つその高さが調理鍋３の深さよりも小さく、通風台５の天面５１の外形は調理鍋３の天面の内径よりも小さい大きさとすることができる。このような大きさとすると、風防筒４の天面が調理鍋３内の底面に向くように風防筒４及び通風台５を調理鍋３に載置し、少なくとも風防筒４が調理鍋３内に収容され、且つ、風防筒４と取付部６により取り付けられた通風台５内に鍋蓋２を載置させることができ、携行しやすくなる。
風防筒４の底面４１には、図１及び図９に例示するように、複数の第１の通気孔４２が、底面４１の中心（６）から一定の円周に沿って等間隔に設けられている。第１の通気孔４２の数、大きさ、形状等は、特に問わない。
【００１８】
風防筒４は、その上端部に調理鍋３の底部を支持するために突出した複数の支持部４３を備えることができる。支持部４３は、風防筒４と調理鍋３との間に、排気のための隙間７を作り出すために役立つ。支持部４３の数、寸法、形状等は、調理鍋３を載置したときに安定に支持できる限り問わない。
支持部４３は、図１に示すように、風防筒４の上端に上方に向けて立設してもよいし、風防筒４の内側に向けて設けてもよい。また、支持部４３は風防筒４の上端部の内周面や外周面に設けてもよい。更に、支持部４３は、図１に示すように風防筒４の周面から突出する固定軸４６に設けられ、風防筒４の周面に沿って回動させることができる。回動すると、図１の支持部４３’に示すように、上方が風防筒４内に収まるため、図３に例示するように、支持部４３によって風防筒４の上方に支えられていた調理鍋３が風防筒４の上端まで下降し、図１に示す風防筒４と調理鍋３との間の隙間７をなくすことができる。
各支持部４３は、調理鍋３の支持解除部３１により、調理鍋３を風防筒４の周方向に回動させたとき回動することができる。
【００１９】
風防筒４は、図６に示すようにその上端部の内径が、調理鍋３の底部の外径よりも大きく、且つ調理鍋３の天面の外径よりも小さいことがより好ましい。このような大きさとすると、風防筒４に調理鍋３を載置したときに、調理鍋３の底部と風防筒４の上端部との間に所定の隙間７が形成される。そして図７に示すように、その隙間７から排出された高温の排気９２が調理鍋３の底部に遮られるため、そのまま上昇することができず、調理鍋３の側面に沿って上昇していくようになる。排気９２が調理鍋３の側面に沿って上昇する際に排気９２の熱が調理鍋３に伝わり、排気９２により調理鍋３の加熱を一層効率的とすることができる。
【００２０】
風防筒４には、外周面につまみ４４を設けることができる。このつまみ４４は、後述する取付部６を中心とした風防筒４の回動を行うために用いることができ、風防筒４を掴んで回動させるよりも安全且つ容易に回動可能とすることができる。つまみ４４は、風防筒４の熱が可能な限り伝わらない材料及び構造、形状とすることが好ましい。
風防筒４には、外周面に持ち手４５を設けることができる。持ち手４５を設けることで、組み立てた状態の携帯調理器を持ち手４５でぶら下げて搬送することが容易にできる。
風防筒４は、図１１に示すように、風防筒４の底面部に送風ファン９５を設け、風防筒４の底面部に設けた受け皿９７に載せた熱源９に向けて送風することができる。このように送風ファン９５による送風を行うと、木炭等の燃焼しにくい熱源９であっても十分燃焼させて調理を行うことができる。送風ファン９５を回転する方法は特に問わないが、例えば乾電池や充電池等の電源（図示せず）で駆動するモータ９６により回転させることを挙げることができる。また、受け皿９７は網等の通気性に優れた構成にし、送風された空気を熱源９に供給できるようにすることができる。
【００２１】
通風台５は、調理鍋３及び風防筒４を安定して支持するための台であり、熱源９の燃焼に必要な空気９１を風防筒４の各第１の通気孔４２を介して供給する通路の役目も果たす。このため、風防筒４を載置する天面５１には複数の第２の通気孔５３が設けられている。通風台５の形状は、天面５１の各第２の通気孔５３を通して空気が風防筒４内に供給されるように、内部に空洞が形成される所定の高さを備える形状が好ましい。通風台５の形状としてこれに限定されないが、例えば図１に示すように、天板と複数の脚とが設けられた机状体とすることができる。また、図４及び図５に示すように、底部が開口した円錐台形状を挙げることができる。通風台５の大きさは上に載せられる風防筒４及び調理鍋３が安定して載置できる大きさが好ましい。また、前記所定の高さは、空気９１を各第２の通気孔５３を介して供給する通路の分を構成することができる高さであればよい。
【００２２】
通風台５の天面５１に設けられる複数の第２の通気孔５３は、図５に例示するように、天面５１の中心６から一定の円周に沿って等間隔に設けられている。第２の通気孔５３の数、大きさ、形状等は、風防筒４の底面４１に設けられた第１の通気孔４２を介して空気を供給することができ、図９（ａ）、（ｂ）に例示するように風防筒４の取付部６を軸とする回動に伴って連通量（連通部の面積）を変化させることができる限り、特に問わない。第２の通気孔５３を設ける上記一定の円周、第２の通気孔５３の数、大きさ及び形状は、風防筒４の底面４１に設けられる第１の通気孔４２と対応したものとすることができる。すなわち、第１の通気孔４２と同じ円周上に、同間隔で同数、同サイズの第２の通気孔５３を設けることができる。また、各第１の通気孔４２及び第２の通気孔５３は、共に円形とすることができる。
【００２３】
風防筒４の底面及び通風台５の天面には、通風台５に対して風防筒４を回動可能に取り付ける取付部６が設けられている。取付部６は、風防筒４の底面４１の中央に、外側に向けて突出する軸体６１を備え、通風台５の天面５１の中央に、軸体６１を挿通させる穴部（又は軸体６１を受ける凹部）６２を備えることによって構成することができる。また、上記とは逆に、通風台５の天面５１の中央に、外側に向けて突出する軸体６１を備え、風防筒４の底面４１の中央に、軸体６１を挿通させる穴部（又は軸体６１を受ける凹部）６２を備えて取付部６を構成してもよい。
上記いずれの構造としても、通風台５に対して、軸体６１を中心にして風防筒４を回動可能であって、分離できないように固定することができる。
【００２４】
前記の通り、取付部６を中心として同じ径の円周に沿って、風防筒４の底面４１には第１の通気孔４２、通風台５の天面５１には第２の通気孔５３を設けておくことができる。これによって、通風台５に対して風防筒４を回動させたとき、第１の通気孔４２と第２の通気孔５３との連通量を変化させることができる。
図９は、風防筒４の円形第１の通気孔４２と同数及び同じ開口径の円形の第２の通気孔５３が、取付部６を中心とする同じ径の円周に沿って等間隔で通風台５に設けられている例を表している。これによって、一定の回動位置においては、同図（ａ）に示すように第１の通気孔４２と第２の通気孔５３とが一致（全連通）する位置となる。また、取付部６の軸体６１を中心として風防筒４を回動させることによって、第２の通気孔５３と第１の通気孔４２との位置がずれて、同図（ｂ）に示すように連通する開口部分が減って（連通量が減って）、熱源９へ供給する空気量を減らすことができる。更に回動させれば、第２の通気孔５３と第１の通気孔４２とが全く連通しないようにして、熱源９への空気の供給を止めることができる。
【００２５】
第２の通気孔５３を介して風防筒４内に供給する空気は、通風台５に設けられる脚５５によって通風台５と設置面との間に形成された隙間が吸気口５４となり通風台５内に取り込むことができる。
また、図５〜図７に示すように円錐台形状の通風台５の側面に設けられた吸気口５４から通風台５内に取り込むことができる。吸気口５４の数、大きさ、形状等は特に問わない。
携帯調理器１は、軸体６１を中心にした回動を第１の通気孔４２と第２の通気孔５３との連通を全連通から閉塞までの範囲に制限するストッパを設けることができる。このようなストッパを用いることで、連通状態を分かりやすくしてより安全且つより容易に熱源の火力調節や消火を行うことができる。このようなストッパとして、例えば、風防筒及び通風台の一方に、他方に向けて突出する突起を設け、他方に風防筒４を回動した位置によっては前記突起と嵌合する孔を設けることを挙げることができる。孔を設ける位置を、前記全連通となる位置から前記閉塞となる位置までとすることで、連通状態を分かりやすくしてより安全且つより容易に熱源の火力調節や消火を行うことができる。
【００２６】
携帯調理器１は、例えば図２に示すように、といだ米を入れて鍋蓋２で蓋をした調理鍋３を、風防筒４の上端部の支持部４３に載置し、風防筒４の底面４１に載置した固形燃料等に着火して、それを熱源９として炊飯を行うことができる。脚５５によって通風台５の下方に形成される吸気口５４から取り込まれた外気９１は、通風台５内を介して連通する第２の通気孔５３及び第１の通気孔４２を抜けて風防筒４内に供給され、熱源９の燃焼に用いられる。また、高温の排気９２は調理鍋３の底部と風防筒４の上端部との間の隙間７から排出される。
このとき、調理鍋３の底部の外径が風防筒４の上端部の内径よりも大きいために、排気９２が周囲に逃げることなく調理鍋３の側面に沿って、調理鍋３に熱を与えながら上昇していくようになり、排気による調理鍋３の加熱を行うことができるため、熱源９が発した熱を有効に利用することができる。
【００２７】
そして、調理が終わり、熱源９の消火が必要な場合は、図３に示すように調理鍋３を回動（図３においては時計方向）させると、調理鍋３の支持解除部である爪３１が支持部４３の上端側と接触して支持部４３を半時計方向に回動させ、支持部４３は風防筒４内に収納される（支持部４３’を参照）。これにより、調理鍋３が風防筒４に載置され、隙間（７）がなくなり、上方の通気がなくなる。更に風防筒４のつまみ４４を掴んで、風防筒４を回動させることにより、第１の通気孔４２と第２の通気孔５３との連通が途絶え、下方の通気が止まる。これにより、熱源９が酸欠となって確実に消火することができる。
【００２８】
図４〜図６に異なる風防筒４及び通風台５を備える携帯調理器１’を示す。
この携帯調理器１’は、底部の径が上部よりも小さな円錐台形状の風防筒４と、周面に、孔を設けて吸気口５４とした通風台５を備えており、鍋蓋２に切欠き２１を設けている他は、図１に示す携帯調理器１を同様の鍋蓋２と、調理鍋３と、風防筒４と、通風台５とを備えている。
このような携帯調理器１’は、図１に示す携帯調理器１と同様に、図７に示すように、といだ米を入れて鍋蓋２で蓋をした調理鍋３を、風防筒４の上端部の支持部４３に載置し、風防筒４の底面４１に載置した固形燃料等に着火して、それを熱源９として炊飯を行うことができる。通風台５の周面に設けられている吸気口５４から取り込まれた外気９１は、通風台５内を介して連通する第２の通気孔５３及び第１の通気孔４２を抜けて風防筒４内に供給され、熱源９の燃焼に用いられる。また、高温の排気９２は調理鍋３の底部と風防筒４の上端部との間の隙間７から排出され、排気による調理鍋３の加熱を行うことができるため、熱源９が発した熱を有効に利用することができる。
また、調理鍋３によりお湯を沸かしたときは、調理鍋３を傾けて切欠き２１からお湯を注ぐことができる。
【００２９】
風防筒４の径は、調理鍋３の上端側の径よりも小さく、収納時・携帯時には、風防筒４の上端部が調理鍋３内の底面に向くように、風防筒４及び通風台５を調理鍋３に載置し、少なくとも風防筒４は調理鍋３内に収容されるようにすることができる。具体的には図８に例示するように、風防筒４の上端部を調理鍋３の底部に載置し、上方となった風防筒４の底面４１に、通風台５が取付部６により取り付けられる。すなわち、風防筒４及び通風台５を、使用時とは上下逆向きにして調理鍋３内に載置する。これによって、少なくとも風防筒４の底面４１は調理鍋３の上端面よりも低く、風防筒４が調理鍋３内に収容されるようにすることができる。そして、通風台５の底部側（上方側）に鍋蓋２を載置することができる。通風台５の底部内に鍋蓋２を収まりよく載置できるよう、通風台５の底部の内径は鍋蓋２の外径より大きくしておくことが好ましい。
また、調理鍋３、風防筒４及通風台５の寸法と形状を選択することによって、通風台５の底部までを調理鍋３内に収容可能とできることは、図８から容易に推察できる。
更に、携帯調理器１を携行する場合は、図８に示すように風防筒４の上端部が調理鍋３の底部に向くように上下を反対にした風防筒４及び通風台５を調理鍋３に収納し、通風台５の天面の裏側から鍋蓋２を載置することができる。このようにすると図３に示す使用状態よりも高さを低くすることができ、箱や袋等に入れて保管したり携行したりすることが容易となる。また、通風台５は風防筒４に軸体６１を介して取り付けた状態を維持し、且つ鍋蓋２は通風台５内に収まっているため、携行中に容易に位置ずれすることがない。
また、調理鍋３に熱源９となる固形燃料を共に入れておけば、調理時に利用することができる。
【００３０】
尚、本考案においては、以上に示した実施形態に限られず、目的、用途に応じて本考案の範囲内で種々変更した態様とすることができる。例えば、本携帯調理器１は、主に調理に用いられるものとして説明したが、これに限られず、湯沸かしに用いたり煮焼き等の調理に用いたりすることができる。また、図１に示す携帯調理器１に図５に例示する切欠き２１を具備する鍋蓋２を用いることができる。更に、図１に示す携帯調理器１、及び図４に示す携帯調理器１’の鍋蓋２に図９を例示する調理皿２２を設けることができる。また、図１に示す携帯調理器１、及び図４に示す携帯調理器１’に図１０に例示する送風ファン９５を設けることができる。
【符号の説明】
【００３１】
１、１’；携帯調理器、２；鍋蓋、２１；切欠き、２２；調理皿、３；調理鍋、３０；鍔、３１；支持解除部、４；風防筒、４１；風防筒の底面、４２；第１の通気孔、４３；支持部、４４；つまみ、４５；持ち手、４６；固定軸、５；通風台、５１；通風台の天面、５３；第２の通気孔、５４；吸気口、５５；脚、６；取付部、６１；軸体、６２；孔、７；隙間、９；熱源、９１；空気、９２；排気、９５；送風ファン。
【図１】
0003184300.tif 000003
【図２】
0003184300.tif 000004
【図３】
0003184300.tif 000005
【図４】
0003184300.tif 000006
【図５】
0003184300.tif 000007
【図６】
0003184300.tif 000008
【図７】
0003184300.tif 000009
【図８】
0003184300.tif 000010
【図９】
0003184300.tif 000011
【図１０】
0003184300.tif 000012
【図１１】
0003184300.tif 000013